【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
プロセスデータを表示するための方法であって、
ウェブブラウザを介してプロセスデータを視認する要求を受信することと、
前記プロセスデータを格納するサーバを識別することであって、前記サーバは、プロセス制御システムから前記プロセスデータを受信する、前記識別することと、
前記サーバから前記プロセスデータを取り出すことと、
前記プロセスデータのプロパティに基づいて、拡張スタイルシート言語変換（ＸＳＬＴ）テンプレートを選択することと、
前記ＸＳＬＴテンプレート、前記プロパティ、および前記プロセスデータに基づいて、ウェブ閲覧フォーマットに適合する表示ファイルを生成することであって、前記表示ファイルは、前記ウェブブラウザを介して前記プロセスデータをどのように表示するかについて特定する、前記生成することと、
を含む、方法。
【請求項２】
前記プロセスデータの前記プロパティに基づいて前記表示ファイルをレンダリングすることと、
前記表示ファイルを前記ウェブブラウザに伝送することと、
をさらに含む、請求項１に記載の方法。
【請求項３】
前記ウェブ閲覧フォーマットは、ハイパーテキストマークアップ言語（ＨＴＭＬ）に適合する、
請求項１又は請求項２に記載の方法。
【請求項４】
前記要求を送信した機器の種類に基づいて、前記ＸＳＬＴテンプレートを選択することと、
前記機器の表示領域に適合するように、前記表示ファイルを生成することと、
をさらに含む、請求項１〜請求項３の何れか１項に記載の方法。
【請求項５】
クライアント表示アプリケーションに、前記表示ファイルにアクセスおよび前記表示ファイルを表示させる命令を、前記ウェブブラウザに送信することをさらに含む、
請求項１〜請求項４の何れか１項に記載の方法。
【請求項６】
前記ＸＳＬＴテンプレートを選択することは、
前記プロパティに基づいて、拡張マークアップ言語（ＸＭＬ）テンプレートを選択することと、
前記ＸＭＬテンプレートを前記ＸＳＬＴテンプレートに変換することと、
を含む、請求項１〜請求項５の何れか１項に記載の方法。
【請求項７】
前記ＸＳＬＴテンプレートは、前記プロセスデータをどのように表示するかについて定義する電子デバイス記述言語（ＥＤＤＬ）ファイルに基づいて生成される、
請求項１〜請求項６の何れか１項に記載の方法。
【請求項８】
前記表示ファイルを生成することは、
前記ＸＳＬＴテンプレートを前記プロセスデータと組み合わせることと、
前記組み合わせられたＸＳＬＴテンプレートおよび前記プロセスデータを、前記ウェブ閲覧フォーマットに変換することと、
を含む、請求項１〜請求項７の何れか１項に記載の方法。
【請求項９】
前記ＸＳＬＴテンプレートを前記プロセスデータと組み合わせることは、
前記ＸＳＬＴテンプレート内のパラメータを識別することと、
前記パラメータに対応する前記プロセスデータの部分を識別することと、
前記パラメータを、前記プロセスデータの前記対応する部分に参照することと、
を含む、請求項８に記載の方法。
【請求項１０】
前記パラメータを参照することは、
前記プロセスデータの前記部分を前記対応するパラメータに埋め込むことを含む、
請求項９に記載の方法。
【請求項１１】
プロセスデータを表示するための装置であって、
要求されたプロセスデータを格納するサーバを識別し、前記サーバからの前記プロセスデータにアクセスするアダプタであって、前記サーバはプロセス制御システムから前記プロセスデータを受信する、前記アダプタと、
前記プロセスデータのプロパティに基づいてテンプレートを選択するためのデータプロセッサと、
前記テンプレート、前記プロパティ、および前記プロセスデータに基づいて、ウェブ閲覧フォーマットに適合する表示ファイルを生成するためのウェブベースインターフェースであって、前記表示ファイルは、クライアントアプリケーションを介して前記プロセスデータをどのように表示するかについて特定するウェブベースインターフェースと、
を備える、装置。
【請求項１２】
前記ウェブベースインターフェースは、
前記テンプレートを前記プロセスデータと組み合わせることと、
前記組み合わせられたテンプレートおよび前記プロセスデータを、前記クライアントアプリケーションに関連付けられたフォーマットに変換することと、
によって、前記表示ファイルを生成する、
請求項１１に記載の装置。
【請求項１３】
前記ウェブベースインターフェースは、
前記テンプレート内のパラメータを識別することと、
前記パラメータに対応する前記プロセスデータの部分を識別することと、
前記パラメータを、前記プロセスデータの前記対応する部分に参照することと、
によって、前記テンプレートを前記プロセスデータと組み合わせる、
請求項１２に記載の装置。
【請求項１４】
前記ウェブベースインターフェースは、
前記プロセスデータの前記プロパティに基づいて前記表示ファイルをレンダリングし、
前記表示ファイルを前記クライアントアプリケーションに伝送する、
請求項１１〜請求項１３の何れか１項に記載の装置。
【請求項１５】
前記データプロセッサは、前記要求を送信した機器の種類に基づいて、前記テンプレートを選択し、
前記ウェブベースインターフェースは、前記選択されたテンプレートに基づいて、前記機器の表示領域に適合するように、前記表示ファイルを生成する、
請求項１１〜請求項１４の何れか１項に記載の装置。
【請求項１６】
前記ウェブベースインターフェースは、前記クライアントアプリケーションに、前記表示ファイルにアクセスおよび前記表示ファイルを表示させる命令を、前記クライアントアプリケーションに送信する、
請求項１１〜請求項１５の何れか１項に記載の装置。
【請求項１７】
前記データプロセッサは、
前記プロパティに基づいて、拡張マークアップ言語（ＸＭＬ）テンプレートを選択することと、
前記ＸＭＬテンプレートを拡張スタイルシート言語変換（ＸＳＬＴ）テンプレートに変換することと、
によって、前記ＸＳＬＴテンプレートを選択する、
請求項１１〜請求項１６の何れか１項に記載の装置。
【請求項１８】
前記データプロセッサは、前記プロセスデータをどのように表示するかについて記述する電子デバイス記述言語（ＥＤＤＬ）ファイルから前記テンプレートを生成する、
請求項１１〜請求項１７の何れか１項に記載の装置。
【請求項１９】
命令が格納される機械アクセス可能媒体であって、
実行時に、少なくとも、
ウェブブラウザを介してプロセスデータを視認する要求を受信することと、
前記プロセスデータを格納するサーバを識別することであって、前記サーバは、プロセス制御システムから前記プロセスデータを受信し、前記サーバは、相互運用性データパッキングフォーマットに関連付けられる、前記識別することと、
前記サーバから前記プロセスデータを取り出すことと、
前記プロセスデータのプロパティに基づいて、拡張スタイルシート言語変換（ＸＳＬＴ）テンプレートを選択することと、
前記ＸＳＬＴテンプレート、前記プロパティ、および前記プロセスデータに基づいて、ウェブ閲覧フォーマットに適合する表示ファイルを生成することであって、前記表示ファイルは、前記ウェブブラウザを介して前記プロセスデータをどのように表示するかについて特定する、前記生成することと、
を機械にさせる、機械アクセス可能媒体。
【請求項２０】
前記命令は、実行時に、
前記ＸＳＬＴテンプレートを前記プロセスデータと組み合わせることと、
前記組み合わせられたＸＳＬＴテンプレートおよび前記プロセスデータを、前記ウェブ閲覧フォーマットに変換することと、
によって、前記機械に前記表示ファイルを生成させる、
請求項１９に記載の機械アクセス可能媒体。
【請求項２１】
前記命令は、実行時に、
前記ＸＳＬＴテンプレート内のパラメータを識別することと、
前記パラメータに対応する前記プロセスデータの部分を識別することと、
前記パラメータを、前記プロセスデータの前記対応する部分に参照することと、
によって、前記機械に、前記ＸＳＬＴテンプレートを前記プロセスデータと組み合わせさせる、
請求項２０に記載の機械アクセス可能媒体。
【請求項２２】
前記命令は、実行時に、
前記要求を送信した機器の種類に基づいて、前記ＸＳＬＴテンプレートを選択することと、
前記選択されたＸＳＬＴテンプレートに基づいて、前記機器の表示領域に適合するように、前記表示ファイルを生成することと、
を、前記機械にさせる、
請求項１９〜請求項２１の何れか１項に記載の機械アクセス可能媒体。